(57)【特許請求の範囲】
【請求項１】
前方から挿入される紙幣を受け容れる紙幣挿入口と、該紙幣挿入口から挿入された紙幣を内部に搬送する紙幣搬送路と、前記紙幣搬送路の下側部分を備えた下側装置と、前記紙幣搬送路の上側部分を備えると共に前記下側装置上に閉じた閉止状態と、該下側装置から離間した開放状態との間で開閉自在に構成された上側装置と、を備え、
前記下側装置は、前記紙幣挿入口の下部から前方に突出し、挿入される紙幣下面をガイドする下側紙幣ガイド部材と、該下側紙幣ガイド部材の両側部から夫々上方に突設されて挿入される紙幣の幅方向位置を規制する縦壁部材と、を備え、
前記上側装置は、前記閉止状態にある時に、前記紙幣挿入口の上部から前方に突出し、両側端縁を前記各縦壁部材の内壁と隙間を介して対向させる上側紙幣ガイド部材を備え、
前記各縦壁部材の内壁に、前記隙間の少なくとも前部を下側から覆って紙幣が前記隙間内に挿入されることを防止する突起部を設けたことを特徴とする紙幣挿入ガイド部構造。
【請求項２】
前記突起部は、前記縦壁部材内壁に一体化、或いは着脱自在に構成されていることを特徴とする請求項１に記載の紙幣挿入ガイド部構造。
【請求項３】
前記突起部は、紙幣搬送方向下流側へ向かう程に先細る形状をなしていることを特徴とする請求項１または請求項２に記載の紙幣挿入ガイド部構造。
【請求項４】
請求項１乃至３の何れか一項に記載の紙幣挿入ガイド部構造と、その紙幣搬送方向下流側に配置された識別装置と、を備えたことを特徴とする紙幣処理装置。
【請求項５】
請求項４に記載の紙幣処理装置を備えたことを特徴とする紙幣取扱装置。
【発明の詳細な説明】
【技術分野】
【０００１】
本発明は、各種自動販売機、入出金装置、両替機等の紙幣取扱装置に装備される紙幣処理装置を構成する紙幣挿入ガイド部の構造、紙幣処理装置、及び紙幣取扱装置の改良に関する。
【背景技術】
【０００２】
各種自動販売機、入出金装置、両替機等の紙幣取扱装置は、紙幣の処理を行う紙幣処理装置を備えている。紙幣処理装置は、利用者が紙幣挿入口から挿入した紙幣を引き込んで装置内部に搬送し、搬送過程で挿入された紙幣の紙幣長、真贋、金種を判定する。そして、紙幣が受入れ可能な正規紙幣である場合にはこれを受け入れ、更に奥部に配置された紙幣収納部に収納したり、紙幣収納部から釣り銭や返却紙幣を払い出す。
また紙幣取扱装置は、利用者が操作するための操作スイッチ類、ディスプレーを備えた操作ボードと、利用者との間の取引が成立した場合に物品やサービスの提供を行う物品等提供部等と、を備える。
【０００３】
従来の紙幣処理装置として次のようなものがある（特許文献１参照）。図５は従来の紙幣処理装置の概略構成を示すものであり、（ａ）は蓋部の閉止状態を示す斜視図、（ｂ）は蓋部の開放状態を示す斜視図である。この紙幣処理装置１０には、紙幣を挿入する紙幣挿入口１１から装置内奥に延びる搬送路１２が形成される。この搬送路１２は、本体１３と、この本体１３により開閉自在に支持された蓋部１４との間に形成される。また搬送路１２には、センサー１５、１６及び搬送ベルト１７等が配置される。蓋部１４は、図５（ｂ）に示すように、本体１３の図中左奥側を回動中心として開閉自在に本体１３に取り付けられる。
蓋部１４が本体１３に対して開閉自在に構成されることにより、蓋部を開放することにより搬送路１２が開放されるため、センサー１５、１６及び搬送ベルト１７のメンテナンスを容易に行うことができるようになる。また、蓋部を閉じた状態での装置の運用中に搬送路１２で紙幣の詰まりが生じたとき、蓋部を開放して紙幣の取り出しを容易に行うことができる。
【０００４】
紙幣処理装置では、紙幣の挿入を容易確実にするため、紙幣挿入ガイド部を以下の構造とすることがある。図６は従来の紙幣挿入ガイド部構造を示す断面図である。この紙幣挿入ガイド部２０は、紙幣通路２１に連通し、紙幣を挿入する挿入口２２と、挿入口２２の外側下部に張出して配置された下側紙幣ガイド部材２３と、挿入口２２の上側に配置された上側紙幣ガイド部材２４とを備える。下側紙幣ガイド部材２３は挿入口２２の下側に配置され、挿入口２２に挿入される紙幣Ｂの下面を案内して紙幣の先端を紙幣通路２１に導く。また、上側紙幣ガイド部材２４は挿入口２２の上側に配置され、挿入口に挿入され下側紙幣ガイド部材２３で案内された紙幣の先端が挿入口２２の上側に行きすぎるのを防止して紙幣を挿入口２２に導く。
更に、前記紙幣挿入ガイド部を備えた紙幣処理装置として、次のものがある（特許文献２参照）。図７は従来の紙幣取扱装置に装備される紙幣処理装置を示す正面側外観斜視図である。この紙幣処理装置３０は、例えば食券等の自動販売機（紙幣取扱装置）３９に装備されて紙幣の受け入れ処理、釣り銭等としての紙幣の払い出し処理、リジェクト紙幣（逆搬送紙幣）の返却処理等を行う。
【０００５】
紙幣処理装置３０は、紙幣挿入ガイド部３８として、紙幣挿入口３１の下側に下側紙幣ガイド部材３２を備え、紙幣挿入口３１の上側に上側紙幣ガイド部材３３を備える。また、紙幣処理装置３０は、挿入された紙幣を搬送する紙幣搬送路（図示せず）の下側部分を構成する下側装置３６と、下側装置３６の紙幣搬送路における搬送下流側端部を中心として回動可能とされる上側装置３７とで構成される。
上側装置３７は、下側装置３６上に閉じた閉止状態と、搬送上流側を開放する開放状態との間を変位可能に構成され、閉止状態において紙幣搬送路の上側部分を構成する。また、紙幣搬送路に連通する紙幣挿入口３１は、上側装置を閉止状態としたときの下側装置３６及び上側装置３７の手前側接合面に形成される。
更に、紙幣挿入ガイド部３８において、下側紙幣ガイド部材３２の左右両側端部には、夫々上方に向け立ち上がるように形成され、挿入される紙幣の幅方向位置を規制する２つの縦壁部材３４が設けられている。ここで、上側紙幣ガイド部材３３は、２つの縦壁部材３４の内側端縁との間に隙間３５を空けた非接触状態で各縦壁部材との間に配置される。この隙間３５は、上側装置３７を上方に開くときに上側紙幣ガイド部材３３が縦壁部材３４の内側端縁に干渉しないように設けられている。
【先行技術文献】
【特許文献】
【０００６】
【特許文献１】特開２００７―９４８０７公報
【特許文献２】特開２０１１−１５４５４１公報
【発明の概要】
【発明が解決しようとする課題】
【０００７】
しかしながら、従来の紙幣挿入ガイド部では、紙幣が紙幣挿入口に挿入され装置内部に取り込まれるとき、紙幣が紙幣挿入口で詰まってしまうことがある。図８は従来の紙幣挿入ガイド部の不具合を示す斜視図である。このような事態は、図８（ａ）に示すように、紙幣Ｂの端縁が縦壁部材３４と上側紙幣ガイド部材３３との間の隙間３５に入り込んで引っかかり、大きくスキューしたまま取り込まれた時に発生する。この時、搬送路内部では、図８（ｂ）、（ｃ）に示すように、スキューした紙幣Ｂが搬送路の左縁部に沿って配置された部品、例えばレーザー検知素子３９に引っ掛かることにより進退不能な状態となっている。
本発明は上記に鑑みてなされたものであり、紙幣を紙幣挿入口に挿入するとき、紙幣が縦壁部材と上側紙幣ガイド部材との間に形成された隙間に引っかかることなく、紙幣を確実に挿入できる紙幣挿入ガイド部構造、紙幣処理装置及び紙幣取扱装置を提供することを目的とする。
【課題を解決するための手段】
【０００８】
上記目的を達成するため、請求項１の紙幣挿入ガイド部構造は、前方から挿入される紙幣を受け容れる紙幣挿入口と、該紙幣挿入口から挿入された紙幣を内部に搬送する紙幣搬送路と、前記紙幣搬送路の下側部分を備えた下側装置と、前記紙幣搬送路の上側部分を備えると共に前記下側装置上に閉じた閉止状態と、該下側装置から離間した開放状態との間で開閉自在に構成された上側装置と、を備え、前記下側装置は、前記紙幣挿入口の下部から前方に突出し、挿入される紙幣下面をガイドする下側紙幣ガイド部材と、該下側紙幣ガイド部材の両側部から夫々上方に突設されて挿入される紙幣の幅方向位置を規制する縦壁部材と、を備え、前記上側装置は、前記閉止状態にある時に、前記紙幣挿入口の上部から前方に突出し、両側端縁を前記各縦壁部材の内壁と隙間を介して対向させる上側紙幣ガイド部材を備え、前記各縦壁部材の内壁に、前記隙間の少なくとも前部を下側から覆って紙幣が前記隙間内に挿入されることを防止する突起部を設けたことを特徴とする。
本発明によれば、下側紙幣ガイド部材と上側紙幣ガイド部材とによって案内された紙幣の端縁が、下側紙幣ガイド部材と縦壁部材との間の隙間に向かって移動しても、この隙間は下方から突起部で覆われているので、紙幣は隙間に入り込むことなく、円滑かつ確実に紙幣挿入口に挿入され取り込まれる。
【０００９】
請求項２の発明では、前記突起部は、前記縦壁部材内壁に一体化、或いは着脱自在に構成されていることを特徴とする。
本発明によれば、突起部と縦壁部材とが一体に形成されるため、突起部と縦壁部材との間に隙間が形成されず、紙幣が挟まれることがない。
請求項３の発明では、前記突起部は、紙幣搬送方向下流側へ向かう程に先細る形状をなしていることを特徴とする。
本発明によれば、挿入される紙幣は、突起部の下側面に接触して案内され、隙間に入り込むことなく紙幣挿入口に挿入され取り込まれる。
請求項４に係る紙幣処理装置は、前記紙幣挿入ガイド部構造と、その紙幣搬送方向下流側に配置された識別装置と、を備えたことを特徴とする。
請求項５に係る紙幣取扱装置は、請求項４に記載の紙幣処理装置を備えたことを特徴とする。
【発明の効果】
【００１０】
本発明によれば、下側紙幣ガイド部材及び上側紙幣ガイド部材に案内された紙幣が下側紙幣ガイド部材と縦壁部材との間の隙間に向かって移動しても、紙幣は突起部で案内され、隙間に入り込むことなく円滑かつ確実に紙幣挿入口に挿入されて取り込まれる。
【図面の簡単な説明】
【００１１】
【図１】本発明の一実施形態に係る紙幣処理装置の上側装置を開放した状態における紙幣挿入ガイド部を示す斜視図である。
【図２】図１に示した紙幣処理装置における紙幣挿入ガイド部を示す拡大斜視図である。
【図３】上側装置を閉じた状態の紙幣挿入ガイド部を示す拡大斜視図である。
【図４】図３に示した紙幣挿入ガイド部の隙間と突起部とを示す斜視図である。
【図５】従来の紙幣処理装置を示す斜視図である。
【図６】従来の紙幣挿入ガイド部を示す断面図である。
【図７】従来の紙幣処理装置を示す斜視図である。
【図８】従来の紙幣挿入ガイド部における不具合を示す斜視図である。
【発明を実施するための形態】
【００１２】
以下、本発明を図面に示した実施形態に基づいて詳細に説明する。
図１は本発明の一実施形態に係る紙幣処理装置の上側装置を開放した状態における紙幣挿入ガイド部を示す斜視図であり、図２は図１に示した紙幣処理装置における紙幣挿入ガイド部を示す拡大斜視図である。また、図３は上側装置を閉じた状態の紙幣挿入ガイド部を示す拡大斜視図であり、図４は図３に示した紙幣挿入ガイド部の隙間と突起部とを示す斜視図である。
【００１３】
図１に示すように、実施形態に係る紙幣処理装置である紙幣処理装置４０は、例えば券売機等の紙幣取扱装置８０に装備され、下側装置５０と、上側装置６０と、図示しない紙幣識別装置と、を備えている。
本発明の紙幣挿入ガイド部構造は、前方から挿入される紙幣Ｂを受け容れる紙幣挿入口４１と、紙幣挿入口から挿入された紙幣を内部に搬送する紙幣搬送路７０と、紙幣搬送路の下側部分７０ａを備えた下側装置５０と、紙幣搬送路の上側部分７０ｂを備えると共に下側装置上に閉じた閉止状態と、下側装置から離間した開放状態との間で開閉自在に構成された上側装置６０と、を備え、下側装置５０は、紙幣挿入口の下部から前方に突出し、挿入される紙幣下面をガイドする下側紙幣ガイド部材５１と、下側紙幣ガイド部材の両側部から夫々上方に突設されて挿入される紙幣の幅方向位置を規制する縦壁部材５２と、を備え、上側装置６０は、閉止状態にある時に、紙幣挿入口４１の上部から前方に突出し、両側端縁を各縦壁部材５２の内壁と隙間６２を介して対向させる上側紙幣ガイド部材６１を備え、各縦壁部材の内壁に、隙間６２の少なくとも前部を下側から覆って紙幣が隙間内に挿入されることを防止する突起部５３を設けた構成が特徴的である。
【００１４】
下側装置５０は、前方から挿入された紙幣を紙幣処理装置内部に搬送する紙幣搬送路７０の一部である下側部分７０ａを上面に備えている。下側装置５０には、紙幣搬送路７０を構成する搬送ベルト７１、７３、搬送ローラ、ベルト装置、センサー７６等が配置される。
上側装置６０は、紙幣搬送方向下流側に設けた軸部６５により下側装置５０に対して上下方向へ回動（開閉）可能に取り付けられている。上側装置６０は、下側装置５０上に閉止した閉止状態（図３参照）と、搬送上流側を上方に持ち上げた開放状態（図１参照）との間で開閉自在に構成される。上側装置６０はその下面に、閉止状態において紙幣搬送路７０の一部を構成する上側部分７０ｂを備えている。この上側装置６０には、紙幣搬送路７０を構成する搬送ベルト、搬送ローラ、連動ベルト装置、センサー等（図示せず）が配置されている。
【００１５】
以下、本実施形態に係る紙幣搬送ガイド部の構造について説明する。
本実施形態に係る紙幣処理装置４０では、紙幣搬送路７０の前端部に位置する紙幣挿入口４１は、上側装置６０を閉止状態としたときの下側装置５０と上側装置６０の上流側（前側）突き当て端部に形成される。
下側装置５０の前面には、紙幣挿入口４１の下部から前方へ張り出した下側紙幣ガイド部材５１が形成されている。下側紙幣ガイド部材５１は、紙幣搬送下流側（前側）に行くにつれて下降する斜面を備える。この斜面により下側紙幣ガイド部材５１は、紙幣挿入口４１に挿入される紙幣の下面を案内する。
また、下側装置５０には、下側紙幣ガイド部材５１の左右両側端部からそれぞれ上方に向けて突設された２つの縦壁部材５２が設けられている。この２つの縦壁部材５２の内壁により、挿入される紙幣はその幅方向の位置決めがなされる。
上側装置６０には、紙幣挿入口４１の上側に上側紙幣ガイド部材６１が前方へ向けて突設されている。上側紙幣ガイド部材６１は、２つの縦壁部材５２の内壁５２ａとの間に隙間６２を隔てて、縦壁部材５２の内壁とは非接触状態で対向配置されており、紙幣挿入口４１に挿入される紙幣の先端を紙幣挿入口４１に向け案内する。隙間６２は、上側装置６０を閉止状態としたときに上側紙幣ガイド部材６１が下側装置５０の縦壁部材５２内壁に接触しないように設けられている。
【００１６】
本実施形態に係る紙幣処理装置４０では、両側の縦壁部材５２の内壁５２ａには庇状の突起部５３が形成されている。各突起部５３は、各縦壁部材５２と上側紙幣ガイド部材６１との隙間６２の下方に突出することにより、隙間を下側から覆った状態で内側に向けて庇状に延び、紙幣Ｂの端縁が隙間６２に入り込むことを防止する。突起部５３は、隙間の全長ではなく、少なくとも隙間６２の手前側端部を下方から覆えば足りる。
また、突起部５３は縦壁部材５２と合成樹脂で一体として形成されるため、突起部５３と縦壁部材５２との間には隙間が形成されず、紙幣挿入の邪魔にならない。
また、図３に示すように突起部５３は、紙幣挿入方向に沿う縦断面形状が紙幣搬送方向下流側に向けて先細る略三角形状をなしている。このため挿入される紙幣は、突起部５３の下側面５３ａに接触して案内され、隙間６２に入り込むことなく紙幣挿入口４１に挿入され取り込まれる。
【００１７】
以上のように、本実施形態によれば、下側紙幣ガイド部材５１に沿って挿入され、上側紙幣ガイド部材６１に案内されて紙幣挿入口４１に入る紙幣は、図８（ａ）に示したように当初からスキューした姿勢で挿入されたとしても、その端縁が下側紙幣ガイド部材５１と縦壁部材５２との間の隙間６２に入り込むことなく、姿勢矯正されつつ円滑かつ確実に紙幣挿入口４１に挿入され取り込まれる。
なお、本実施形態では、突起部５３は、縦壁部材５２と一体に形成したが、突起部５３を縦壁部材５２に後付けする構造とすることができる。また、突起部５３の形状、寸法は、隙間６２の先端部を下側から覆って紙幣端縁の入り込みを阻止し得るものであればどのようなものであってもよい。
【符号の説明】
【００１８】
４０  紙幣処理装置、４１  紙幣挿入口、５０  下側装置、５１  下側紙幣ガイド部材、５２  縦壁部材、５３  突起部、６０  上側装置、６１  上側紙幣ガイド部材、６２  隙間７０  紙幣搬送路、８０  紙幣処理装置、Ｂ  紙幣
【図１】
0005720024.tif 000002
【図２】
0005720024.tif 000003
【図３】
0005720024.tif 000004
【図４】
0005720024.tif 000005
【図５】
0005720024.tif 000006
【図６】
0005720024.tif 000007
【図７】
0005720024.tif 000008
【図８】
0005720024.tif 000009